(57)【要約】      （修正有）【課題】把持帯が固形石鹸の内外を周回する状態で装着可能な装着具並びに把持機能付き石鹸セットを提供する。【解決手段】固形石鹸３０に把持帯２０を装着するための石鹸把持帯装着具１であって、所要長さ、幅、厚さを有して剛性を備える二枚の薄板片１０が上下に重ねられ、その一方端１２は閉塞するように連結されると共に、他方端１４は開放されて成り、二枚の薄板片１０の間に開放された他方端１４から把持帯２０を挟持させた状態で固形石鹸３０を貫通させることで、該把持帯２０が固形石鹸３０を貫通して装着される手段を採る。【選択図】図３
0003217251.tif 000002
【実用新案登録請求の範囲】
【請求項１】
固形石鹸に把持帯を装着するための装着具であって、
所要長さ、幅、厚さを有して剛性を備える二枚の薄板片が上下に重ねられ、その一方端は閉塞するように連結されると共に、他方端は開放されて成り、
二枚の薄板片の間に開放された他方端から把持帯を挟持させた状態で固形石鹸を貫通させることで、該把持帯が固形石鹸を貫通して装着されることを特徴とする石鹸把持帯装着具。
【請求項２】
前記薄板片の他方端近傍における接面側に、前記把持帯の挟持状態を維持可能な脱落防止手段が配設されて成ることを特徴とする請求項１に記載の石鹸把持帯装着具。
【請求項３】
前記請求項1または請求項２に記載の石鹸把持帯装着具と、所要長さ、幅、厚さを有して環状を為すための連結手段を備えると共に柔軟性と疎水性を有する樹脂材から成る帯状の把持帯と、側面所定箇所に所要幅、厚さを有する貫通孔が穿設されて成る固形石鹸と、から構成されていることを特徴とする把持機能付き石鹸セット。
【請求項４】
前記把持帯が、伸縮可能な弾性部材から成ることを特徴とする請求項請求項３に記載の把持機能付き石鹸セット。
【請求項５】
前記連結手段が、長さ可変手段を備えて成ることを特徴とする請求項３または請求項４に記載の把持機能付き石鹸セット。
【考案の詳細な説明】
【技術分野】
【０００１】
本考案は、把持機能を備える固形石鹸を製作するための石鹸把持帯を装着する道具に関するものである。
【背景技術】
【０００２】
近年、洗浄剤として、液体、顆粒タイプ等、色々な形態の製品が利用されているが、固形石鹸を利用する場合も多い。固形石鹸は、洗浄剤を直方体や円柱の形に固めたものである。液体、顆粒タイプは、防湿等のため、ケース、箱に入れるような管理が必要であるが、固形石鹸は、露出した状態で放置しても劣化が少なく管理面で便利である。
【０００３】
固形石鹸は、使用時に、洗浄の対象や、洗浄用タオルに、固形石鹸の面を擦りつけることで、洗浄剤を少しづつ、対象物等に塗布する方法が一般的である。その際、固形石鹸を手に持ち、対象物等に擦りつけることとなるが、固形石鹸自体が滑りやすい。そのため、注意を払わないと、固形石鹸を滑り落としてしまう場合もあった。
【０００４】
これらの問題を解消するために、使用時に石鹸の安定的な把持を持続できる技術が求められていた。
【０００５】
このような問題に対して、従来からも様々な技術が提案されている。例えば、固形石鹸を使用開始時と同程度の洗浄力を保ったまま最後まで使い切る技術（特許文献１参照）が提案され、公知技術となっている。より詳しくは、板体が、石鹸における厚み方向に対向する２つの面に装着され、石鹸における厚み方向に対向する２つの面の中央の表層部分を水により溶かし、水により溶かした表層部分に当該板体の裏面を貼り合わせ、当該表層部分と当該板体の裏面との間の水溶液を乾かすことによって、板体と装着対象の固形石鹸と一体化するものである。
【０００６】
この技術により、石鹸の表面に板体が装着されているので、石鹸使用時に石鹸のすべりを防止することができる。しかしながら、水により溶かした表層部分に当該板体の裏面を貼り合わせる態様を採るため、その初期段階で無駄に石鹸を溶かす必要があると共に、使用中に貼り合わせた箇所が水で溶けて板体が外れてしまうといった問題があり、前記課題の解決には至っていない。
【０００７】
また、把持するに適当な大きさのホルダー本体の一面に、湿潤状態にある固型石鹸の表層部に喰い込みが可能な程度の硬さを持つプラスチツク糸から構成されたアンカー部付刺状部の多数を、分散突設してなる固型石けんホルダー（特許文献２参照）が提案され、公知技術となっている。
【０００８】
この技術により、石鹸の表面にホルダーの一部である突起を食い込ませることで、ホルダーと石鹸を一体化し、石鹸使用時に石鹸のすべりを防止することができる。しかしながら、湿潤状態にある固型石鹸の表層部にアンカー部付刺状部を喰い込ませる態様を採るため、その初期段階で石鹸を湿潤状態にすべく無駄に溶かす必要があると共に、使用中に喰い込ませた箇所が水で溶けてアンカー部付刺状部が外れてしまうといった問題があり、前記課題の解決には至っていない。
【０００９】
また、石鹸の一面に冠せるハンドルカバー内面に薄板又は細い針金を２〜５ｍｍ位の高さに多数適当な間隔を置いて植付け（又は突出）させてこの板針群内に石鹸の一面を押込んで石鹸の支持体とする技術（特許文献３参照）が提案され、公知技術となっている。
【００１０】
この技術により、石鹸の一面に複数の突起を挿入し石鹸と一体となったハンドルカバーとし、手をかける２つの起立部分を持つことで、安定して石鹸を把持できる。しかしながら、使用により石鹸の形状が変化すると、突起である板針群と石鹸の関係が変化し、ホルダーと石鹸との一体化が困難になりやすいと共に、手をかける突起は、滑った場合に離れやすく、石鹸の快適な使用とはならないといった問題があり、前記課題の解決には至っていない。
【００１１】
本出願人は、石鹸の使用態様に着目し、石鹸を安定的に保持可能とすべく石鹸把持帯を装着するとの着想の下、重ねられた二枚の薄板片に把持帯を挟持した状態で固形石鹸の側面を貫通させることで、該把持帯が固形石鹸の内外を周回する状態で装着可能な装着具並びに把持機能付き石鹸セットを開発し、本考案にかかる「石鹸把持帯装着具並びに把持機能付き石鹸セット」の提案に至るものである。
【先行技術文献】
【特許文献】
【００１２】
【特許文献１】特開２０１４−１０８２９３号
【特許文献２】実開昭６２−４１３９１号
【特許文献３】実開昭５９−１６４９３号
【考案の概要】
【考案が解決しようとする課題】
【００１３】
本考案は、上記問題点に鑑み、把持帯が固形石鹸の内外を周回する状態で装着可能な装着具並びに把持機能付き石鹸セットを提供することを課題とするものである。
【課題を解決するための手段】
【００１４】
上記課題を解決するため、本考案は、固形石鹸に把持帯を装着するための装着具であって、所要長さ、幅、厚さを有して剛性を備える二枚の薄板片が上下に重ねられ、その一方端は閉塞するように連結されると共に、他方端は開放されて成る手段を採る。
【００１５】
また、本考案は、前記薄板片の他方端近傍における接面側に、前記把持帯の挟持状態を維持可能な脱落防止手段が配設されて成る手段を採る。
【００１６】
さらに、本考案は、把持機能付き石鹸セットであって、前記石鹸把持帯装着具と、所要長さ、幅、厚さを有して環状を為すための連結手段を備えると共に柔軟性と疎水性を有する樹脂材から成る帯状の把持帯と、側面所定箇所に所要幅、厚さを有する貫通孔が穿設されて成る固形石鹸と、から構成されている。
【００１７】
またさらに、本考案は、前記把持帯が、伸縮可能な弾性部材から成る手段を採る。
【００１８】
さらにまた、本考案は、前記連結手段が、長さ可変手段を備えて成る手段を採る。
【考案の効果】
【００１９】
本考案に係る石鹸把持帯装着具によれば、重ねられた二枚の薄板片の間に開放された他方端から把持帯を挟持させた状態で固形石鹸を貫通させることで、該固形石鹸に把持帯を容易に装着することが可能である、といった優れた効果を奏するものである。
【００２０】
また、本考案に係る把持機能付き石鹸セットによれば、使用者は、把持帯を介して固形石鹸を把持することで該固形石鹸が手から滑り落ちることなく、快適に使用することが可能になる、といった優れた効果を奏するものである。
【図面の簡単な説明】
【００２１】
【図１】本考案に係る石鹸把持帯装着具の実施形態を示す全体斜視図である。
【図２】本考案に係る石鹸把持帯装着具の使用態様を示す説明図である。
【図３】本考案に係る石鹸把持帯装着具の使用態様を示す説明図である。
【図４】本考案に係る石鹸把持帯装着具の使用態様を示す説明図である。
【考案を実施するための形態】
【００２２】
本考案に係る石鹸把持帯装着具１並びに把持機能付き石鹸セットは、剛性を備える二枚の薄板片１０が上下に重ねられ、その一方端１２は閉塞するように連結されると共に、他方端１４は開放されて成る石鹸把持帯装着具１と、該石鹸把持帯装着具１に柔軟性を備え疎水性樹脂材から成る把持帯２０と、側面所定箇所に貫通孔３２が穿設された固形石鹸３０とを組み合わせて把持機能付き石鹸セットとしたことを最大の特徴とする。
以下、本考案に係る石鹸把持帯装着具１並びに把持機能付き石鹸セットの実施形態を、図面に基づいて説明する。
【００２３】
なお、本考案に係る石鹸把持帯装着具１並びに把持機能付き石鹸セットは、下記に述べる実施形態に限定されるものではなく、本考案の技術的思想の範囲内、即ち、同一の作用効果を発揮できる形状や寸法等の範囲内で、適宜変更することができるものである。
【００２４】
また、本考案の記述において使用される文言は、限定的に解釈されるものではなく、説明的および例示的なものであると理解される。特に、本考案における「環状を為す」とは、当初から環状を為して形成されている場合と、端部を有するものを繋ぎ合せて環状を為す場合の何れをも含むものとして解釈されるべき文言である。
【００２５】
図１乃至図４に沿って、本考案に係る石鹸把持帯装着具１並びに把持機能付き石鹸セットを説明する。図１は、本考案に係る石鹸把持帯装着具１の実施形態を示す全体斜視図である。
【００２６】
本考案に係る石鹸把持帯装着具１は、固形石鹸３０に把持帯２０を装着するための装着具であって、所要長さ、幅、厚さを有して剛性を備える二枚の薄板片１０によって構成されている。
【００２７】
薄板片１０は、剛性を備えていれば材質については特に限定するものではなく、例えばステンレス等の金属製や、プラスチック等の樹脂製が考え得る。薄板片１０の形状は、平面視において略矩形状となっている。
【００２８】
薄板片１０の大きさについては、特に限定するものではないが、固形石鹸３０を貫通させるべく、少なくとも該固形石鹸３０の貫通すべき幅以上の長さを有しており、概ね５ｃｍ前後となる。薄板片１０の幅については、後述する把持帯２０と同程度の幅となっており、概ね５〜２０ｍｍ程度となっている。さらに薄板片１０の厚さについては、貫通させる固形石鹸３０の貫通孔３２を拡張することのないよう、可能な限り薄厚とすることが望ましく、概ね２ｍｍ以下、さらに好ましくは１ｍｍ以下とする。
【００２９】
かかる薄板片１０は、二枚一組であって、上下に重ねられる。そして、該薄板片１０を二枚重ねた状態にて、その一方端１２は閉塞するように連結されると共に、他方端１４は連結されずに開放されて構成される。かかる構成により、二枚の薄板片１０は、いわばピンセットと同様の作用形態を為すこととなる。
【００３０】
二枚の薄板片１０の一方端１２を連結する手段については、用いられる素材によって適宜決定されればよく、特に限定するものではないが、例えば溶接や接着、拡散接合などによる手段が考え得る。
このとき、一枚の長尺な薄板片１０を中央で折り返すことで、該折り返し箇所が連結され閉塞された一方端１２を為す二枚の重なる薄板片１０を構成させることも可能である。図面では、この一枚の長尺な薄板片１０を折り返して構成した場合について示している。このように、一枚の長尺な薄板片１０で構成することで、溶接や接着などの結合手段を用いることなく、石鹸把持帯装着具１を成形することが可能となる。
【００３１】
薄板片１０の開放された他方端１４近傍には、脱落防止手段１６が配設される。該脱落防止手段１６は、少なくとも一方若しくは両方の薄板片１０における接面側（内側）に配設され、把持帯２０を挟持する際に、その状態を容易に維持することが可能となるものである。該脱落防止手段１６の具体的構造については、把持帯２０を挟持して脱落しない構造のものであれば、特に限定するものではないが、例えば把持帯２０に食い込む突起が配設された構造であったり、ヤスリ様滑り止めが付設された構造であったり、などが考え得る。
【００３２】
以上で構成される石鹸把持帯装着具１について、次にその使用態様を説明する。図２乃至図４は、本考案に係る石鹸把持帯装着具１の使用態様を示す説明図である。
【００３３】
図２に示す様に、先ず、石鹸把持帯装着具１を構成する二枚の薄板片１０の開放された他方端１４から把持帯２０を挿入し、該二枚の薄板片１０で上下を挟みこむ様に把持帯２０を挟持させる。このとき、薄板片１０の接面側（内側）に配設された脱落防止手段１６により、把持帯２０は略固定状態で薄板片１０に挟持され、脱落することなく挟持状態が維持される。
【００３４】
把持帯２０は、装着された状態で固形石鹸３０を内外に周回すべく柔軟性を備えると共に、使用時に水を吸って固形石鹸３０を溶かしてしまうことのないよう疎水性を有する樹脂材によって成形されて成る。
【００３５】
該把持帯２０の形状については、間に手Ｈを挟んで固形石鹸３０を内外に周回可能な所要長さ、幅、厚さを有する帯状であって、例えば長さは１０〜２５ｃｍ程度、幅は概ね５〜２０ｍｍ程度となっている。さらに把持帯２０の厚さについては、前記薄板片１０と同様に、貫通させる固形石鹸３０の貫通孔３２を拡張することのないよう、可能な限り薄厚とすることが望ましく、概ね２ｍｍ以下、さらに好ましくは１ｍｍ以下とする。
【００３６】
かかる把持帯２０の材質については、柔軟性且つ疎水性を有する樹脂材であれば特に限定するものではないが、間に手Ｈを挟んで固形石鹸３０を内外に周回する態様に鑑み、好ましくは平ゴムなどの伸縮可能な弾性部材により成形されている。このように把持帯２０を伸縮可能とすることで、弾性部材が手Ｈを固形石鹸３０側へ押え付けるために把持性が向上すると共に、使用者の年齢や体格などで異なる手Ｈの大きさに柔軟に対応可能となる。
【００３７】
また、把持帯２０には、固形石鹸３０を内外に周回した状態で環状を為すべく、連結手段２２が設けられている。かかる連結手段２２の具体的構造については特に限定するものではなく、例えば図示の様な突起と孔による係合構造のほか、バックル（尾錠止め）を用いる構造など、ベルトやバンドの連結手段と同様の構造を採用すればよい。さらに、連結手段２２について、単に端部同士を片結び等で結ぶ手段を採用してもよい。
【００３８】
このとき、連結手段２２の構造として、長さ可変手段を備えて成る構造を採用し得る。すなわち、図示の様に連結手段２２が突起と孔による係合構造であれば、把持帯２０に長手方向へ複数の孔を備えることで、突起と孔の係合箇所を適宜変えることで把持帯２０の周回長さ（環状の大きさ）を変更することができるため、固形石鹸３０と手Ｈとの把持性向上に資すると共に、使用者によって異なる手Ｈの大きさに柔軟に対応可能となる。
【００３９】
把持帯２０の装着対象である固形石鹸３０の側面所定箇所には、貫通孔３２が穿設されている。該貫通孔３２の穿設箇所について、側面であれば特に限定はないが、使用による固形石鹸３０の擦り減りに対する使用期間の長期化を図るべく、固形石鹸３０の厚み方向略中央箇所において略水平に穿設されることが望ましい。
【００４０】
該貫通孔３２の形状は、所要幅、厚さを有して成り、具体的には、薄板片１０が把持帯２０を挟持した状態の石鹸把持帯装着具１を挿通可能な幅及び厚さを有するものである。すなわち、該貫通孔３２の幅は、薄板片１０及び把持帯２０と同様に概ね５〜２０ｍｍ程度とし、厚さは概ね６ｍｍ以下、さらに好ましくは３ｍｍ以下とされる。尚、かかる貫通孔３２の幅や厚さについては、固形石鹸３０の切削容易性に鑑み、薄板片１０や把持帯２０の寸法形状よりも予め若干小形とする態様も可能であり、その場合は石鹸把持帯装着具１の挿通に際し、該石鹸把持帯装着具１により貫通孔３２の周縁を切削しながら挿通が進行されることとなる。
【００４１】
このように、薄板片１０が把持帯２０を挟持した状態にて、固形石鹸３０の貫通孔３２へ石鹸把持帯装着具１が挿通される。挿通に際して薄板片１０が貫通孔３２内へ入り込むことで、二枚の薄板片１０が上下から押圧される状態となり、該薄板片１０の接面側（内側）に配設されている脱落防止手段１６の作用も相まって、把持帯２０は二枚の薄板片１０の間で強固に挟持されることとなる。
【００４２】
石鹸把持帯装着具１が貫通孔３２を貫通した段階で、図３に示す様に、二枚の薄板片１０による把持帯２０の挟持状態を止めて解放する。それにより、把持帯２０のみが貫通孔３２に挿嵌された状態で装着されることとなる。
【００４３】
そして、図４に示す様に、把持帯２０を連結手段２２により連結して環状を為すことで、該把持帯２０と固形石鹸３０との間に手Ｈを挿嵌し、その挿嵌された手Ｈで固形石鹸３０を把持することが可能となる。把持した状態で実際に固形石鹸３０を使用する場合は、該固形石鹸３０における手Ｈと反対側の使用面を使用対象に擦り付けることで使用される。
【００４４】
固形石鹸３０の使用面が擦り減ってきた場合には、把持帯２０を当該使用面側に周回させ、今まで手Ｈで把持していた反対側の面を今度は使用面として把持し使用すればよい。
尚、固形石鹸３０における把持部材１２を周回させる面については、特に限定するものではなく、隣面（側面）を周回させることも可能であり、使用態様によって適宜決定し得る。
【００４５】
使用により固形石鹸３０が擦り減ってしまい、把持帯２０の埋設個所である貫通孔３２が崩壊して把持帯２０のとして機能しなくなった場合には、石鹸の特性上、当該擦り減った固形石鹸３０を新しい固形石鹸３０に擦り合せ接合することで、互いを一体化することができる。その一体化した固形石鹸３０を本考案に係る把持機能付き石鹸として新たに使用することで、最後まで無駄なく固形石鹸３０を使用することが可能である。
【００４６】
以上、把持帯２０と固形石鹸３０との間に手Ｈを挿嵌する使用態様について説明したが、手Ｈではなく道具を挿嵌して使用することも可能である。すなわち、長手棒状の先端に挿嵌して把持させることにより、手Ｈの届かない箇所などにも固形石鹸１１を届かせることが可能であって、人体における背中に擦り付けたり、あるいは、掃除道具として使用することも可能になる。
【００４７】
このように、上記した石鹸把持帯装着具１と把持帯２０と固形石鹸３０とによって、本考案に係る把持機能付き石鹸セットが構成されている。かかる把持機能付き石鹸セットによれば、石鹸把持帯装着具１を使用して固形石鹸３０に把持帯２０を簡単に装着できると共に、装着された把持帯２０と貫通孔３２との間には殆ど隙間が無いため、使用時の水分が浸入して固形石鹸３０を内側から浸食することもなく、安定的且つ持続的に把持可能な固形石鹸３０を提供することができる。
【産業上の利用可能性】
【００４８】
本考案に係る石鹸把持帯装着具１並びに把持機能付き石鹸セットは、安定的且つ持続的に把持することが可能な固形石鹸３０を簡単に作製することができるもので、産業上の利用可能性は大きいものと思料する。
【符号の説明】
【００４９】
１    石鹸把持帯装着具
１０    薄板片
１２    一方端
１４    他方端
１６    脱落防止手段
２０    把持帯
２２    連結手段
３０    固形石鹸
３２    貫通孔
Ｈ    手
【図１】
0003217251.tif 000003
【図２】
0003217251.tif 000004
【図３】
0003217251.tif 000005
【図４】
0003217251.tif 000006